(57)【要約】【課題】位置検出マークを構成するブロック領域（磁気トラック幅よりも広い）に磁化反転信号を複数ビット確実に記録することができる新規な垂直磁気記録再生システムを提供する【解決手段】磁気情報の記録・再生を行なうデータゾーンと、前記磁気ヘッドと前記磁気記録媒体上のトラックとの相対位置を検出するための位置検出マークを有するサーボゾーンとがトラックの周方向に対して一定の間隔で交互に並んでいるディスク状の磁気記録媒体であり、前記位置検出マークは、磁気トラックと同じ材質の磁性層を物理的に分離して形成した複数のブロック領域から構成され、当該個々のブロック領域は、複数ビット分が記録される磁性帯域から構成され、前記磁気ヘッドは、前記磁気トラックへの磁化情報を垂直記録するための磁気記録用磁極と、前記磁気トラックに記録された磁気情報を再生するための磁気情報再生素子と、前記位置検出マークを構成するブロック領域に磁化反転信号を垂直記録するためのサーボ信号記録用磁極とを併せて有している。【選択図】　図２
2004110896.tif 000002
【特許請求の範囲】
【請求項１】
ディスク状の磁気記録媒体と、前記磁気記録媒体に磁化情報を記録・再生するための磁気ヘッドと、を有する垂直磁気記録再生システムであって、
前記磁気記録媒体は、磁気情報の記録・再生を行なうデータゾーンと、前記磁気ヘッドと前記磁気記録媒体上のトラックとの相対位置を検出するための位置検出マークを有するサーボゾーンとがトラックの周方向に対して一定の間隔で交互に並んでいるディスク状の磁気記録媒体であり、
前記データゾーンは、実質的に同心円状に配置され、磁気情報の記録・再生を行うためのデータトラックとしての磁気トラックから構成され、径方向に隣接する磁気トラック同士の間隙には、隣接する磁気トラック同士を磁気的に分離するためのディスクリート部が形成されており、
前記位置検出マークは、磁気トラックと同じ材質の磁性層を物理的に分離して形成した複数のブロック領域から構成され、当該個々のブロック領域は、複数ビット分が記録される磁性帯域から構成され、
前記磁気ヘッドは、前記磁気トラックへの磁化情報を垂直記録するための磁気記録用磁極と、前記磁気トラックに記録された磁気情報を再生するための磁気情報再生素子と、前記位置検出マークを構成するブロック領域に磁化反転信号を垂直記録するためのサーボ信号記録用磁極とを併せて有しており、当該磁気ヘッドのサーボ信号記録用磁極により、前記位置検出マークを構成するブロック領域に磁化反転信号を複数ビット分記録することができるようになっていることを特徴とする垂直磁気記録再生システム。
【請求項２】
前記サーボ信号記録用磁極により記録される磁化反転信号は、初期化段階でデータゾーンおよびサーボゾーンを含めて媒体全体に書き込まれる請求項１に記載の垂直磁気記録再生システム。
【請求項３】
前記磁気記録用磁極は、前記磁気情報再生素子側に位置する下部磁極と、前記サーボ信号記録用磁極を備えるライターシールド（サーボ信号記録用磁極兼ライターシールド）により実質的に挟持されるように配置されており、
前記磁気記録用磁極から発せられる記録のための漏洩磁界および前記サーボ信号記録用磁極から発せられるサーボ信号記録のための漏洩磁界は、それぞれ、下部磁極にリターンパスされるようになっている請求項１または請求項２に記載の垂直磁気記録再生システム。
【請求項４】
前記サーボ信号記録用磁極の幅は、磁気トラックのトラックピッチよりも広幅である請求項１ないし請求項３のいずれかに記載の垂直磁気記録再生システム。
【請求項５】
前記サーボ信号記録用磁極の幅は、磁気トラックのトラックピッチの２〜１００倍である請求項４に記載の垂直磁気記録再生システム。
【請求項６】
前記磁気記録用磁極と前記下部磁極とにより磁化情報記録のための磁路が形成されるように前記磁気記録用磁極と前記下部磁極との間に記録用コイルが配置され、
前記サーボ信号記録用磁極と前記下部磁極によりサーボ信号記録用のための磁路が形成されるように前記磁気記録用磁極と前記ライターシールドとの間にサーボ信号記録用コイルが配置されてなる請求項１ないし請求項５のいずれかに記載の垂直磁気記録再生システム。
【請求項７】
複数ビット分記録される磁化反転信号は、前記サーボ信号記録用磁極により一定の周波数で垂直記録される請求項１ないし請求項６のいずれかに記載の垂直磁気記録再生システム。
【発明の詳細な説明】
【０００１】
【発明の属する技術分野】
本発明は、磁気記録媒体および磁気ヘッドの新規な構成の組み合わせが創出された垂直磁気記録再生システムであり、特に、ディスク状のディスクリート磁気記録媒体のトラッキング操作において十分なオフトラック信号（サーボ信号）が得られ、しかも予めシステムに備えられている一体型の複合磁気ヘッドで、磁気トラックに本来の磁気情報が高密度に垂直記録ができることはもとより、位置検出マークを構成するブロック領域（磁気トラック幅よりも広い磁性帯域幅を有する）に垂直磁化反転信号を複数ビット記録することができる垂直磁気記録再生システムに関する。
【０００２】
【従来の技術】
【特許文献１】特開平６−１９５９０７号公報
【０００３】
コンピュータ等の記憶媒体（磁気記録媒体）としては、ランダムアクセスが可能ないわゆるハードディスクが使用されるようになっている。
【０００４】
このようなハードディスクへの記録再生は、通常、磁気ヘッドを径方向に移動操作させ、磁気ヘッドが所定のデータトラック上に正確に走査していることを確認しながら、磁気信号の記録（書き込み）ないし再生（読み出し）が行なわれている。
【０００５】
ところで、近年の高密度記録化に対応するために、例えば、トラック密度を向上させるための有効な記録媒体構造として、磁気トラックが磁気的に分離された、いわゆるディスクリートトラック（Ｄｉｓｃｒｅｔｅ　ｔｒａｃｋ）型と呼ばれる媒体構造の提案がなされている。
【０００６】
このようなディスクリートトラック型の媒体は、通常、磁気情報の記録・再生を行なうデータゾーンと、前記磁気ヘッドと前記磁気記録媒体上のトラックとの相対位置を検出するための位置検出マークを有するサーボゾーンとを備え、これらはトラックの周方向に対して一定の間隔で交互に並んで配置されている。
【０００７】
サーボゾーンには、通常、トラッキング用の位置検出マーク（サーボパターン）と呼ばれる専用パターンが形成されている。この専用パターンは、トラッキングのために磁気トラック（データトラック）に対して半トラックピッチずらした所定のパターン群として形成され、これらは磁気トラック幅よりも広い磁気トラックピッチの幅で形成されていることが一般的である。
【０００８】
このような所定のパターン群は、磁気トラックと同じ材質の磁性層を物理的に分離して形成され、通常、約１ビット分の周方向長さに微細分離形成されている。そして、これらは、外部磁界により一方向に磁化された後に信号磁界として用いられる。
【０００９】
しかしながら、このような一方向磁化では、再生出力が通常の磁気記録の１／２になってしまう。（また、サーボ信号１ビット分の領域を物理的に分離加工した場合、加工の分解能の影響でエッジが丸くなり、オフトラック量に比例したサーボ再生出力を得ることが困難となることもある。）
【００１０】
このような課題を解決するために垂直磁気記録を対象としたものではないが、面内記録媒体の一手法として、特開平６−１９５９０７号（特許文献１）には、サーボ信号書き込み部分の磁性層形態の改良と、その書き込み部分へのサーボ信号の書き込み方法が開示されている。
【００１１】
【発明が解決しようとする課題】
しかしながら、当該公報に開示されている磁気ヘッドは、媒体周縁に記録された再生信号を読み取る磁気ヘッド１２とこの再生された信号に基づきサーボ信号を書き込む磁気ヘッド１１であり、当該サーボ信号を書き込む磁気ヘッド１１がデータトラックに書き込み用のヘッドに対してとどのような位置付けにあるのか不明である。また、磁気記録媒体に記録再生するためのシステムとしてとらえた場合、そのシステム構成は明確にはなっていない。
【００１２】
ところで、磁気記録媒体に必要なサーボ信号を書き込む処理を行なう時期としては、以下の態様が考えられる。
【００１３】
（１）磁気記録媒体を記録再生システムに組み込む前に、サーボ信号（トラッキング用データ）を媒体書き込み専用装置にて記録する。つまり、媒体を磁気記録再生システムに搭載する（組み込む）前に、予め、媒体にサーボ信号を記録する。
【００１４】
（２）磁気記録再生システムとして媒体を組み込み、すでに組み込まれている通常の記録再生用磁気ヘッドの記録用ヘッド部を用いて、媒体にサーボ信号を記録する。
【００１５】
上記（１）では、書き込みの専用機が必要となり、コスト高となってしまう。さらに、書き込まれた媒体のその後の搬送等、取り扱いに細心の注意が必要であり、取り扱いが不便となる。
【００１６】
上記（２）では、サーボ信号を書き込む部分はいわゆる磁気トラック幅よりも大きく、通常の組み込まれた磁気ヘッドの記録用ヘッド部では、書き込み幅が不足し、１つのサーボ信号幅に対し少なくとも２度の書き込みが必要となる。そのため、単に操作が煩雑のみならず、２度の書き込みによるデータ位置ずれが生じるおそれがある。
【００１７】
このような実状のもとに本発明は創案されたものであり、その目的は、上記の問題点を解決し、ディスク状のディスクリート磁気記録媒体のトラッキング操作において十分なオフトラック信号（サーボ信号）が得られ、しかも予めシステムとして新規な一体型の複合磁気ヘッドを組み込み、磁気トラックに本来の磁気情報が高密度に記録ができることはもとより、位置検出マークを構成するブロック領域（磁気トラック幅よりも広い）に磁化反転信号を複数ビット確実に記録することができる新規な垂直磁気記録再生システムを提供することにある。
【００１８】
【課題を解決するための手段】
このような課題を解決するために、本発明は、ディスク状の磁気記録媒体と、前記磁気記録媒体に磁化情報を記録・再生するための磁気ヘッドと、を有する垂直磁気記録再生システムであって、前記磁気記録媒体は、磁気情報の記録・再生を行なうデータゾーンと、前記磁気ヘッドと前記磁気記録媒体上のトラックとの相対位置を検出するための位置検出マークを有するサーボゾーンとがトラックの周方向に対して一定の間隔で交互に並んでいるディスク状の磁気記録媒体であり、前記データゾーンは、実質的に同心円状に配置され、磁気情報の記録・再生を行うためのデータトラックとしての磁気トラックから構成され、径方向に隣接する磁気トラック同士の間隙には、隣接する磁気トラック同士を磁気的に分離するためのディスクリート部が形成されており、前記位置検出マークは、磁気トラックと同じ材質の磁性層を物理的に分離して形成した複数のブロック領域から構成され、当該個々のブロック領域は、複数ビット分が記録される磁性帯域から構成され、前記磁気ヘッドは、前記磁気トラックへの磁化情報を垂直記録するための磁気記録用磁極と、前記磁気トラックに記録された磁気情報を再生するための磁気情報再生素子と、前記位置検出マークを構成するブロック領域に磁化反転信号を垂直記録するためのサーボ信号記録用磁極とを併せて有しており、当該磁気ヘッドのサーボ信号記録用磁極により、前記位置検出マークを構成するブロック領域に磁化反転信号を複数ビット分記録することができるように構成される。
【００１９】
本発明における前記サーボ信号記録用磁極により記録される磁化反転信号は、初期化段階でデータゾーンおよびサーボゾーンを含めて媒体全体に書き込まれるように構成される。
【００２０】
また、本発明の好ましい態様として、前記磁気記録用磁極は、前記磁気情報再生素子側に位置する下部磁極と、前記サーボ信号記録用磁極を備えるライターシールド（サーボ信号記録用磁極兼ライターシールド）により実質的に挟持されるように配置されており、前記磁気記録用磁極から発せられる記録のための漏洩磁界および前記サーボ信号記録用磁極から発せられるサーボ信号記録のための漏洩磁界は、それぞれ、下部磁極にリターンパスされるように構成される。
【００２１】
また、本発明の好ましい態様として、前記サーボ信号記録用磁極の幅は、磁気トラックのトラックピッチよりも広幅であるように構成される。
【００２２】
また、本発明の好ましい態様として、前記サーボ信号記録用磁極の幅は、磁気トラックのトラックピッチの２〜１００倍として構成される。
【００２３】
また、本発明の好ましい態様として、前記磁気記録用磁極と前記下部磁極とにより磁化情報記録のための磁路が形成されるように前記磁気記録用磁極と前記下部磁極との間に記録用コイルが配置され、前記サーボ信号記録用磁極と前記下部磁極によりサーボ信号記録用のための磁路が形成されるように前記磁気記録用磁極と前記ライターシールドとの間にサーボ信号記録用コイルが配置されてなるように構成される。
【００２４】
また、本発明の好ましい態様として、複数ビット分記録される磁化反転信号は、前記サーボ信号記録用磁極により一定の周波数で垂直記録されるように構成される。
【００２５】
【発明の実施の形態】
本発明は、図８に示されるごとく、ディスク状の磁気記録媒体１と、この磁気記録媒体１に磁化情報を記録・再生するとともにサーボ信号を記録するための磁気ヘッド１００と、この磁気ヘッド１００を支持した状態で回動し磁気記録媒体の所定の半径位置に磁気ヘッドを移動させるアーム７５と、このアーム７５の駆動源となるＶＣＭ　（Ｖｏｉｃｅ　Ｃｏｉｌ　Ｍｏｔｏｒ）７７と、これらの駆動系を制御するとともに記録再生動作を制御する制御部８０と、を有する垂直磁気記録再生システムである。
【００２６】
本発明のシステムは、（ｉ）ディスク状のディスクリート磁気記録媒体のトラッキング操作において出力が十分に高いオフトラック信号（サーボ信号）が得られ、（ｉｉ）しかも予めシステムに新規な一体型の複合磁気ヘッドを組み込み、磁気トラックに本来の磁気情報が高密度に垂直記録ができることはもとより、位置検出マークを構成するブロック領域（磁気トラック幅よりも広い）に磁化反転信号を複数ビット確実に垂直記録することができる新規な垂直磁気記録再生システムである。特に、本願発明のシステムの特徴部分となる磁気記録媒体の構成、および磁気ヘッドの構成について、以下、順じ詳細に説明する。
【００２７】
垂直磁気記録媒体１の構成
図１には、本発明に用いられるディスクリートトラック（Ｄｉｓｃｒｅｔｅ　ｔｒａｃｋ）型のいわゆる垂直磁気記録媒体１の全体形状が模式的に表された概略平面図が示されている。図２には、図１の四角で囲まれた微小部分αの箇所を拡大して、模式的に描かれた概略拡大平面図が示される。
【００２８】
図２に示されるように磁気記録媒体１は、磁気情報の記録・再生を行なうデータゾーンＤＺと、磁気ヘッド１００と磁気記録媒体上のトラックとの相対位置を検出するための位置検出マーク２００を有するサーボゾーンＳＺとを有し、これらは、トラックの周方向に対して一定の間隔で交互に並んで構成されている。
【００２９】
図１との関係においては、ディスクの中心から外方に向けて放射状に延びる線８の位置近傍にサーボゾーンＳＺが配置・形成されていると考えて差し支えない。
【００３０】
データゾーンＤＺは、上述のごとく実質的に同心円状に配置され、磁気情報の記録・再生を行うためのデータトラックとしての磁気トラック１０を有し構成される。そして、径方向に隣接する磁気トラック１０同士の間隙には、隣接する磁気トラック同士を磁気的に分離するためのディスクリート部４０が形成されている。
【００３１】
なお、本発明における磁気トラック１０が「“実質的に”同心円状に配置されている」と表現されているのは、いわゆる「同心円の形態」のみならずいわゆる「渦巻き状（らせん状）の形態」をも含む趣旨である。さらには、サーボゾーンＳＺにより部分的に円周が分断されている態様をも含む趣旨である。
【００３２】
本発明における位置検出マーク２００は、磁気トラックと同じ材質の磁性層を物理的に分離して形成した複数のブロック領域２１０から構成され、当該個々のブロック領域２１０は、磁化反転信号が複数ビット分記録される磁性帯域（２１０）から構成されている。磁性帯域（２１０）は複数ビット分記録できるような周方向の所定長さを有する。
【００３３】
このように本発明における磁性帯域（２１０）には、磁化反転信号を複数ビット分記録することができるようになっており、この状態を図３に基づいてさらに詳細に説明する。
【００３４】
図３（Ａ）は、位置検出マーク２００を構成するブロック領域２１０（磁性帯域（２１０））の一つの断面図を示したものであり、この図におけるブロック領域２１０には垂直記録された磁化反転信号（磁性帯域２１０中の矢印で示される）が１０個記録された状態が例示されている。
【００３５】
図３（Ｂ）は、図３（Ａ）の垂直記録パターンに基づく再生出力の状態を模式的に示したものであり、本発明における媒体仕様では、図３（Ｂ）に示すごとく最大再生出力が２Ｈであることがわかる。ちなみに従来の垂直記録膜におけるサーボゾーンＳＺの位置検出マーク５００の形成例が図９に示されており、この図９における１ブロック領域５１０は、一方向記録の１ビット分が記録される５つの磁性島５１０ａから構成されており、この磁化状況および再生出力の状況が図１０（Ａ）および（Ｂ）に示される（図３（Ａ）および（Ｂ）にそれぞれ対応）。図１０（Ａ）に示される従来例の信号磁界は、一般に大型の専用磁気ヘッドで直流磁化することにより形成された一方向磁界であるため、最大再生出力もＨと小さいことが分かる（図１０（Ｂ））。
【００３６】
図４（Ａ）には、図２の（γ）―（γ）矢視断面、すなわち、データゾーンＤｚの径方向断面の一般的な形状の一例が示されている。図４（Ａ）に示される形態において、磁気記録媒体１は、非磁性基板５上に、トラック幅Ｔｗと同じ幅の軟磁性裏打ち層７が形成され、この軟磁性裏打ち層７の上に同幅の垂直磁気記録層１０が積層されている。この図における垂直磁気記録層１０は、記録・再生が行われる磁気トラック１０と同義である（図２参照）。そして、これらの隣接する磁気トラック１０の間に位置する箇所には、隣接するデータトラック同士が磁気的に分離されて、ディスクリート作用を発揮させるための欠如凹部４０（ディスクリート部４０）が形成されている。図４（Ａ）において、符号Ｔｐは、磁気トラックのピッチを示している。この磁気トラックのピッチＴｐは、２０〜５００ｎｍ程度とされ、上記トラック幅Ｔｗは、１５〜４００ｎｍ程度とされる。
【００３７】
非磁性基板５としては、アルミニウム、強化ガラス、結晶化ガラス、カーボンプラスチック等、通常この種の磁気記録媒体に使用されるものを用いれば良い。
【００３８】
軟磁性裏打ち層７としては、ＮｉＦｅ，ＮｉＦｅＮｂ，ＮｉＦｅＭｏ，ＦｅＡｌＳｉ，ＦｅＴａＣ等が好適に用いられる。軟磁性裏打ち層７の厚さは、０．１〜１０μｍ程度とされる。
【００３９】
垂直磁気記録層１０としては、ＣｏＣｒ，ＣｏＣｒＴａ，ＣｏＰｔ，ＣｏＣｒＰｔ，ＣｏＰｔＣｒＯ，ＴｂＦｅＣｏ等、通常この種の磁気記録媒体の垂直磁気記録層に使用されるものであればいかなるものであっても良い。このような垂直磁気記録層１０の厚さは、使用するヘッドや用いられる記録波長等を考慮しつつ適宜選定すれば良い。通常は、１０〜１００ｎｍ程度とされる。
【００４０】
また、垂直磁気記録層１０の上には、磁性層を保護する目的でＣ、ＺｒＯ２、ＳｉＯ２等を主体とする保護膜を１〜１０ｎｍ程度の厚さに形成することが望ましい。あまり厚く形成し過ぎるとすると、スペーシングロスの問題が生じる傾向にあり、また、あまりに薄く形成し過ぎると、耐久性等の問題が生じる傾向にある。さらにこの保護膜の上に公知の種々の有機潤滑剤を含有させた潤滑膜を形成してもよい。
【００４１】
図４（Ｂ）に示される磁気記録媒体の構成は、図４（Ａ）のそれの変形例である。欠如凹部４０に非磁性材４０ａが充填されている点で図４（Ａ）に記載されている媒体と異なる。充填された非磁性材４０ａは、図４（Ａ）のディスクリート部４０と実質的に同様な作用を奏する。欠如凹部４０に充填される非磁性材４０ａとしては、例えば、ＳｉＯ２、Ａｌ２Ｏ３、Ｃ等が好適に用いられる。
【００４２】
図４（Ｃ）に示される磁気記録媒体の構成は、図４（Ａ）のそれの変形例である。軟磁性裏打ち層７が基板５の上の全面に設けられている点で、図４（Ａ）に記載されている媒体と異なる。図４（Ｃ）に示されるごとく、隣接する垂直磁気記録層１０（磁気トラック１０）の間に位置する箇所にディスクリート作用を発揮させるための欠如凹部４０（ディスクリート部４０）が形成される。
【００４３】
磁気ヘッド１００の構成
図５には、本発明に用いられる磁気ヘッド１００の要部を平面に表した平面図が示されており、図６には、本発明に用いられる磁気ヘッド１００のいわゆるＡＢＳ（Ａｉｒ　Ｂｅａｒｉｎｇ　Ｓｕｒｆａｃｅ）を正面に見た要部の構成部材が模式的に示されている。ＡＢＳとは、磁気記録媒体と対向する面をいう。図７には、図５のＢ−Ｂ矢視断面を見た要部の構成部材が模式的に示されている。図５の下部ラインおよび図７の左端ラインがＡＢＳに相当する。
【００４４】
磁気ヘッド１００は、磁気記録媒体１の磁気トラック１０への磁化情報を垂直記録するための磁気記録用磁極１１０と、この磁気トラック１０に記録された磁気情報を再生するための磁気情報再生素子１５０と、磁気記録媒体１の位置検出マーク２００を構成するブロック領域２１０に磁化反転信号を垂直記録するためのサーボ信号記録用磁極１３０ａとを併せて有している。
【００４５】
磁気記録用磁極１１０は、磁気情報再生素子１５０側に位置する下部磁極１６０（リターンパス用の磁極と上部シールドを兼用する）と、サーボ信号記録用磁極１３０ａを備えるライターシールド１３０（サーボ信号記録用磁極兼ライターシールド）により実質的に挟持されるように配置されており、外部磁界による不要な記録動作をしないようにシールドされている。
【００４６】
磁気記録用磁極１１０は、ヨーク１１５に接続されているとともに、連結材１１７を介して、下部磁極１６０に連結されている。さらに、磁気記録用磁極１１０と下部磁極１６０との積層間に記録用コイル１８０が介在・配置され、この記録用コイル１８０は、連結材１１７をほぼ中心として、スパイラル状に巻回されている。この記録用コイル１８０により、磁気記録用磁極１１０と下部磁極１６０とにより垂直記録のための磁路を形成することが可能となり、磁気記録用磁極１１０から発せられる記録のための漏洩磁界は、磁気記録媒体１の軟磁性裏打ち層７を通過して下部磁極１６０にリターンパスされるようになっている。
【００４７】
前述したようにライターシールド１３０の先端の一部にはサーボ信号記録用磁極１３０ａが分離形成されており、このサーボ信号記録用磁極１３０ａはヨーク１７０に接続されているとともに、連結材１７７を介して、下部磁極１６０に連結されている。サーボ信号記録用磁極１３０ａの分離は図示のごとく絶縁帯１３１によりおこなわれている。
【００４８】
さらに、サーボ信号記録用磁極１３０ａを備えるライターシールド１３０と、ヨーク１７０との積層間にサーボ信号記録用コイル１９０が介在・配置され、このサーボ信号記録用コイル１９０は、連結材１７７をほぼ中心として、スパイラル状に巻回されている。このサーボ信号記録用コイル１９０により、サーボ信号記録用磁極１３０と下部磁極１６０とにより垂直記録のための磁路を形成することが可能となり、サーボ信号記録用磁極１３０から発せられるサーボ信号記録のための漏洩磁界は、磁気記録媒体１の軟磁性裏打ち層７を通過して下部磁極１６０にリターンパスされるようになっている。そして、この磁気ヘッドのサーボ信号記録用磁極１３０により、前記位置検出マーク２００を構成するブロック領域２１０に磁化反転信号を複数ビット分記録することができるようになっている（図３（Ａ）参照）。
【００４９】
図６に示されるごとく本発明におけるサーボ信号記録用磁極１３０の幅Ｗｓは、図４に示される磁気トラック１０のトラックピッチＴｐよりも広幅となるように設定される。特に、サーボ信号記録用磁極１３０の幅Ｗｓは、磁気トラックのトラックピッチの２〜１００倍程度にすることが望ましい。これにより、位置検出マーク２００を構成する複数のブロック領域２１０に一度に磁化反転信号を記録させることが可能となる。
【００５０】
なお、複数ビット分記録される磁化反転信号は、媒体の初期化段階で、磁気ヘッドを周方向に移動操作させるとともにサーボ信号記録用磁極により一定の周波数で、媒体全体に垂直記録される。
【００５１】
なお、磁気トラックに記録された磁気情報を再生するための磁気情報再生素子１５０としては、磁気抵抗効果素子、特に、ＡＭＲ（異方性磁気抵抗効果）素子、ＧＭＲ（巨大磁気抵抗効果）素子、ＴＭＲ（トンネル接合磁気抵抗効果）素子、さらには、ＣＰＰ（Ｃｕｒｒｅｎｔ　Ｐｅｒｐｅｎｄｉｃｕｌａｒ　ｔｏ　Ｐｌａｎｅ）型のＧＭＲ素子が好適に用いられる。磁気情報再生素子１５０は、下部シールド１５１と、シールド作用も備える下部磁極１６０とにより実施的に挟持される。
【００５２】
ところで、フォーマット前のイニシャルの段階の磁気記録媒体では、トラッキング制御ができないので、磁気ヘッドのサーボ信号記録用磁極により媒体全体に、一定周波数のサーボ信号が書き込まれる。これにより、サーボゾーンＳｚの位置検出マーク２００を構成する各ブロック領域２１０に磁化反転信号を複数ビット分記録することができる。このように記録されたサーボ信号に基づきトラッキング操作を行いながら、磁気トラックに磁気情報の記録・再生を行う。このような一連の操作がシステムの制御部で行われる。
【００５３】
本発明における磁気ヘッドは、記録・再生のためのヘッド構成部分に加えて、極めて広幅のサーボ信号記録用磁極を備えているので、磁気記録システムとして最初から組み込まれている一体化磁気ヘッドにより、迅速に磁化反転されたサーボ信号が記録できる。また、サーボ信号記録用磁極は、実質的にライターシールドと兼用する構成となっているので、サーボ信号記録という動作能力が拡大しているにもかかわらず磁気ヘッド構成そのものは極めてコンパクトである。
【００５４】
【発明の効果】
上述のごとく本発明は、ディスク状の磁気記録媒体と、前記磁気記録媒体に磁化情報を記録・再生するための磁気ヘッドと、を有する垂直磁気記録再生システムであって、前記磁気記録媒体は、磁気情報の記録・再生を行なうデータゾーンと、前記磁気ヘッドと前記磁気記録媒体上のトラックとの相対位置を検出するための位置検出マークを有するサーボゾーンとがトラックの周方向に対して一定の間隔で交互に並んでいるディスク状の磁気記録媒体であり、前記データゾーンは、実質的に同心円状に配置され、磁気情報の記録・再生を行うためのデータトラックとしての磁気トラックから構成され、径方向に隣接する磁気トラック同士の間隙には、隣接する磁気トラック同士を磁気的に分離するためのディスクリート部が形成されており、前記位置検出マークは、磁気トラックと同じ材質の磁性層を物理的に分離して形成した複数のブロック領域から構成され、当該個々のブロック領域は、複数ビット分が記録される磁性帯域から構成され、前記磁気ヘッドは、前記磁気トラックへの磁化情報を垂直記録するための磁気記録用磁極と、前記磁気トラックに記録された磁気情報を再生するための磁気情報再生素子と、前記位置検出マークを構成するブロック領域に磁化反転信号を垂直記録するためのサーボ信号記録用磁極とを併せて有しており、当該磁気ヘッドのサーボ信号記録用磁極により、前記位置検出マークを構成するブロック領域に磁化反転信号を複数ビット分記録することができるように構成されている。
従って、ディスク状のディスクリート磁気記録媒体のトラッキング操作において十分なオフトラック信号（サーボ信号）が得られ、しかも予めシステムとして新規な一体型の複合磁気ヘッドを組み込み、磁気トラックに本来の磁気情報が高密度に記録ができることはもとより、位置検出マークを構成するブロック領域（磁気トラック幅よりも広い）に磁化反転信号を複数ビット確実に記録することができる
【図面の簡単な説明】
【図１】本発明に用いられるディスクリートトラック（Ｄｉｓｃｒｅｔｅ　ｔｒａｃｋ）型のいわゆる垂直磁気記録媒体の全体形状を模式的に示した概略平面図である。
【図２】図１の四角で囲まれた微小部分αの箇所を拡大して、模式的に描かれた概略拡大平面図である。
【図３】図３（Ａ）は、位置検出マークを構成するブロック領域（磁性帯域）の一つの断面図を示したものであり、図３（Ｂ）は、図３（Ａ）の垂直記録パターンに基づく再生出力の状態を模式的に示したものである。
【図４】図４（Ａ）は、本発明の理解を容易にするために比較的簡易な構造を備える垂直磁気記録媒体の実施の形態を模式的断面図として示したものであり、図２の（γ）−（γ）矢視断面図に実質的に相当する。図４（Ｂ）および図４（Ｃ）はそれぞれ図４（Ａ）の好適な変形例を示したものである。
【図５】本発明に用いられる磁気ヘッドの要部を平面に表した平面図である。
【図６】本発明に用いられる磁気ヘッドのいわゆるＡＢＳ（Ａｉｒ　Ｂｅａｒｉｎｇ　Ｓｕｒｆａｃｅ）を正面に見た要部の構成部材を模式的に示した図面である。
【図７】図５のＢ−Ｂ矢視断面を見た要部の構成部材を模式的に示した図面である。
【図８】本発明の垂直磁気記録再生システムを概略的に示した平面図である。
【図９】図２と対比される従来例を説明するための図面である。
【図１０】図３（Ａ）および（Ｂ）と対比される従来例を説明するための図面である。
【符号の説明】
１…磁気記録媒体
５…非磁性基板
７…軟磁性裏打ち層
１０…磁気トラック
４０…ディスクリート部（欠如凹部）
１００…磁気ヘッド
１１０…磁気記録用磁極
１３０ａ…サーボ信号記録用磁極
１５０…磁気情報再生素子
２００…位置検出マーク
２１０…ブロック領域（磁性帯域）
Ｄｚ…データゾーン
Ｓｚ…サーボゾーン
【図１】
2004110896.tif 000003
【図２】
2004110896.tif 000004
【図３】
2004110896.tif 000005
【図４】
2004110896.tif 000006
【図５】
2004110896.tif 000007
【図６】
2004110896.tif 000008
【図７】
2004110896.tif 000009
【図８】
2004110896.tif 000010
【図９】
2004110896.tif 000011
【図１０】
2004110896.tif 000012